(57)【要約】【課題】  簡単な入力データを受けるだけで、多くの相場情報の中から、検索者が要望する特定の傾向にある価格チャートを有する個別銘柄を検索して抽出し、また、抽出した銘柄の価格チャートを分かり易く表示する相場情報の検索及び表示システムを提供する。【解決手段】  相場情報入手手段１１、移動平均算出手段２１、個別銘柄検索手段２３、検索結果提供手段４３、価格チャート表示手段４４を備えると共に、価格の終値の短期間、中期間、長期間の各平均値の関係によりパターン分類するパターン分類手段２２、所定のパターンを有する個別銘柄を検索する第１個別銘柄検索手段２３や「陽足」又は「陰足」の直近の連続期間を有する個別銘柄を検索する第２個別銘柄検索手段２４を備えて構成する。【選択図】図３
2006018851.tif 000002
【特許請求の範囲】
【請求項１】
相場情報を取り込んでデータ記憶部に記憶する相場情報入手手段と、前記データ記憶部に記憶した相場情報から、日と週と月の少なくとも一つを時間単位として、この時間単位における基準時の直近の短期間、中期間、長期間における価格の代表値の平均値を算出する移動平均算出手段と、検索者によって入力された検索条件に従って、所定の動向の個別銘柄を検索する個別銘柄検索手段と、該検索で抽出された個別銘柄の前記取り込んだ相場情報を提供する検索結果提供手段と前記算出された平均値を表示する価格チャート表示手段を有して構成される相場情報の検索及び表示システムであって、
前記移動平均算出手段が、前記時間単位及び前記各期間において、前記基準時における価格の代表値の平均値が、前記基準時の直前の時における価格の代表値の平均値より大きい場合は「陽足」とし、小さい場合は「陰足」とすると共に、前記検索手段として、前記「陽足」と前記「陰足」を検索して、前記時間単位及び前記各期間の組合せの内の少なくとも一つの時間単位と期間の組合せにおいて、
前記時間単位である「月足」、「週足」、「日足」と、前記各期間である「長期足」、「中期足」、「短期足」の組合せによる９選択場所を画面表示して、選択された組合せの前記時間単位及び前記各期間に関して、「連続本数」の小画面を表示し、この画面で、前記検索者によって入力された期間から基準日から過去に逆上る所定の直近の連続期間を設定し、
前記「陽足」の基準日から過去に逆上る所定の直近の連続期間又は前記「陰足」の基準日から過去に逆上る所定の直近の連続期間を有する価格チャートを持つ個別銘柄を抽出する第２個別銘柄検索手段を備えたことを特徴とする相場情報の検索及び表示システム。
【請求項２】
前記価格の代表値の短期間の平均値である「短期足」と、中期間の平均値である「中期足」と、長期間の平均値である「長期足」との上下関係から、
下から上に順に、「中期足」、「長期足」、「短期足」と並んだＡパターン、下から上に順に、「長期足」、「中期足」、「短期足」と並んだＢパターン、下から上に順に、「長期足」、「短期足」、「中期足」と並んだＣパターン、下から上に順に、「短期足」、「長期足」、「中期足」と並んだＤパターン、下から上に順に、「短期足」、「中期足」、「長期足」と並んだＥパターン、下から上に順に、「中期足」、「短期足」、「長期足」と並んだＦパターン、の６パターンにパターン分類するパターン分類手段を備えて構成され、
前記検索手段として、
画面に６種類のＡパターン〜Ｆパターンをそれぞれ例示し、該６個の小画面の内から選択された小画面のパターンに関して、
前記検索者によって入力及び指定された所定のパターンを有する個別銘柄の抽出を、パターン分類手段によって分類されたパターンデータ内を検索して行う
第１個別銘柄検索手段を備えたことを特徴とする請求項１記載の相場情報の検索及び表示システム。
【請求項３】
相場情報を取り込んでデータ記憶部に記憶する相場情報入手手段と、前記データ記憶部に記憶した相場情報から、日と週と月の少なくとも一つを時間単位として、この時間単位における基準時の直近の短期間、中期間、長期間における価格の代表値の平均値を算出する移動平均算出手段と、検索者によって入力された検索条件に従って、所定の動向の個別銘柄を検索する個別銘柄検索手段と、該検索で抽出された個別銘柄の前記取り込んだ相場情報を提供する検索結果提供手段と前記算出された平均値を表示する価格チャート表示手段を有して構成される相場情報の検索及び表示システムにおける相場情報の検索及び表示方法であって、
前記時間単位及び前記各期間において、前記基準時における価格の代表値の平均値が、前記基準時の直前の時における価格の代表値の平均値より大きい場合は「陽足」とし、小さい場合は「陰足」とすると共に、前記「陽足」と前記「陰足」を検索して、前記時間単位及び前記各期間の組合せの内の少なくとも一つの時間単位と期間の組合せにおいて、
前記時間単位である「月足」、「週足」、「日足」と、前記各期間である「長期足」、「中期足」、「短期足」の組合せによる９選択場所を画面表示して、選択された組合せの前記時間単位及び前記各期間に関して、「連続本数」の小画面を表示し、この画面で、前記検索者によって入力された期間から基準日から過去に逆上る所定の直近の連続期間を設定し、
前記「陽足」の基準日から過去に逆上る所定の直近の連続期間又は前記「陰足」の基準日から過去に逆上る所定の直近の連続期間を有する価格チャートを持つ個別銘柄を抽出することを特徴とする相場情報の検索及び表示方法。
【請求項４】
前記価格の代表値の短期間の平均値である「短期足」と、中期間の平均値である「中期足」と、長期間の平均値である「長期足」との上下関係から、
下から上に順に、「中期足」、「長期足」、「短期足」と並んだＡパターン、下から上に順に、「長期足」、「中期足」、「短期足」と並んだＢパターン、下から上に順に、「長期足」、「短期足」、「中期足」と並んだＣパターン、下から上に順に、「短期足」、「長期足」、「中期足」と並んだＤパターン、下から上に順に、「短期足」、「中期足」、「長期足」と並んだＥパターン、下から上に順に、「中期足」、「短期足」、「長期足」と並んだＦパターン、の６パターンにパターン分類し、
画面に６種類のＡパターン〜Ｆパターンをそれぞれ例示し、該６個の小画面の内から選択された小画面のパターンに関して、
前記検索者によって入力及び指定された所定のパターンを有する個別銘柄の抽出を、パターン分類手段によって分類されたパターンデータ内を検索して行うことを特徴とする請求項３記載の相場情報の検索及び表示方法。
【発明の詳細な説明】
【技術分野】
【０００１】
本発明は、株式や商品や先物や為替等の相場において、多くの相場情報の中から、特定の傾向を有する価格チャートを持つ個別銘柄を検索でき、しかも、理解し易い表示方法で価格チャートを表示できる相場情報の検索及び表示システムと相場情報の検索及び表示方法に関する。
【背景技術】
【０００２】
株式投資や商品取引や先物取引や為替取引等の相場における相場情報の表示方法には、時系列的に変化する相場情報の動向を把握するために、数多くの表現方法、例えば、株式投資では「ローソク足」「酒田五法」「新値３本足」「カギ足」「増田足」等があり、それぞれに特有な専門記号を使用した価格チャート等が使用されている。
【０００３】
そして、投資家は、提供されている相場情報を加工して作られる、これらの価格チャートから、時々刻々変化する相場の意味するところ、即ち、価格の急伸、急落、転換等を読み取って、売買を行っており、投資家にとっては、これらの相場情報を的確に、また、正確に理解することが重要となる。
【０００４】
そのため、特開平１１−６６１５４号公報の株価チャート作成システムでは、容易かつ的確に株価の動向を把握できる株価チャートの提供を目的として、必要最低限の終値のみで株価チャートを作成する手法が提案されている。
【０００５】
この「増田足」と呼ばれる表示単位を使用する株価チャート作成システムでは、図１５に示すように、日の終値の当日を含めた過去の短期（３日）、中期（２５日）、長期（７５日）の平均値と、前日のそれぞれに相当する平均値とで上下を形成し、日の単位を幅とする矩形帯の表示単位を、それぞれ、「日足」の「短期足」、「日足」の「中期足」、「日足」の「長期足」とする。
【０００６】
また、週の終値の当週を含めた過去の短期（３週）、中期（１３週）、長期（２６週）の平均値と、前の週のそれに相当する平均値とで上下を形成し、週の単位を幅とする矩形帯の表示単位を、それぞれ、「週足」の「短期足」、「週足」の「中期足」、「週足」の「長期足」とし、これらの「日足」の３つの表示単位又は「週足」の３つの表示単位を同一チャート上に時系列表示するようにしている。
【０００７】
なお、「日足」では、前日の平均値より、当日の平均値が高い場合には、「陽足」とし、低い場合には「陰足」とする。また、「週足」では、前週の平均値より、当週の平均値が高い場合には、「陽足」とし、低い場合には「陰足」としている。
【０００８】
そして、株式市場における価格の状況に対する理解を容易にし、判断を助けられるような、より分かり易い表示となった株価チャートを提供している。
しかしながら、選択した個別銘柄の価格チャートを読み取ることも重要であるが、この時々刻々変化している相場情報の多くの個別銘柄の中から、投資家や投資アドバイザーが望んでいる特定の傾向を持つ個別銘柄を検索及び抽出する作業がより重要な作業としてある。
【０００９】
従来においては、この特定の傾向の個別銘柄の抽出は、証券会社のスタッフや市場をウォッチしている投資アドバイザー等が、経験や独自に収集した情報を基に行ったり、経験豊かな者が多数の個別銘柄の価格チャートを見て、見た印象で行ったりしており、その抽出方法も十分に確立されたものとは言えない状況にある。
【００１０】
また、従来の株式投資における個別銘柄の検索方法としては、「増田足」を使用して、ゴールデン・クロスやデッド・クロスのように、「短期足」、「中期足」、「長期足」の内の２つ以上の折れ線がクロスするポイントの検索や、「足切り」の目安の数値としてのＲＣＩ（順位相関関係）が特定の数値（例えば８０％）以上になり始めたポイントの検索等、ポイント、ポイントにおける検索は可能であったが、検索して抽出した時点では「買い」であっても、次の日から下がるようなデータも抽出される場合があり、必ずしも希望する状況の個別銘柄を抽出することができないという問題があった。
【００１１】
そして、一般の投資家が期待する確率の高い先読みができるような価格チャートの連続性を取り入れた検索方法、つまり、検索した時点での状態が、その日以降も続くと高い確率で予想される個別銘柄の検索方法はなかった。
【００１２】
そのため、一般の投資家側で個別銘柄を抽出することは、殆ど行われておらず、一般の投資家は、証券会社のスタッフや投資アドバイザー等によって提供された限られた数の個別銘柄の価格チャートを見ながら、株式投資等の相場における取引を行っているのが実情である。
【００１３】
そして、一般の投資家には、株式等の相場の仕組みや相場の表現に習熟した投資家もいれば、相場に関しては初心者である投資家もいるので、簡単な判断及び操作で、数多くの相場情報（東証１部の株式銘柄だけでも約１４００銘柄にも及ぶ）を検索し、この中から、投資家が所望する特定の傾向を持つ価格チャートを有する個別銘柄のみを抽出し、しかも、分かり易く表示する相場情報の検索及び表示システムと相場情報の検索及び表示方法が要望されている。
【特許文献１】特開平１１−６６１５４号公報
【発明の開示】
【発明が解決しようとする課題】
【００１４】
本発明は、上述の問題を解決するためになされたものであり、その目的は、簡単な入力データを受けるだけで、多くの相場情報の中から、一般の投資家が要望する特定の傾向にある価格チャートを有する個別銘柄を検索して抽出し、また、抽出した個別銘柄の価格チャートを分かり易く表示する相場情報の検索及び表示システムと相場情報の検索及び表示方法を提供することにある。
【課題を解決するための手段】
【００１５】
〔相場情報の検索及び表示システム〕
以上のような目的を達成するための相場情報の検索及び表示システムは、相場情報を取り込んでデータ記憶部に記憶する相場情報入手手段と、前記データ記憶部に記憶した相場情報から、日と週と月の少なくとも一つを時間単位として、この時間単位における基準時の直近の短期間、中期間、長期間における価格の代表値の平均値を算出する移動平均算出手段と、検索者によって入力された検索条件に従って、所定の動向の個別銘柄を検索する個別銘柄検索手段と、該検索で抽出された個別銘柄の前記取り込んだ相場情報を提供する検索結果提供手段と前記算出された平均値を表示する価格チャート表示手段を有して構成される相場情報の検索及び表示システムであって、次のように構成される。
【００１６】
なお、この「提供」とは、デスプレイ上の画面への表示が主に使用されるが、この画面表示だけに限定されず、プリンタ出力による表示や音声出力等も含み、検索者に情報を知らせることを意味するものである。
【００１７】
また、この「表示」とは、デスプレイ上の画面への表示が主に使用されるが、この画面表示だけに限定されず、プリンタ出力による表示も含み、検索者に視覚的に情報を提供することを意味するものである。
【００１８】
１）前記価格の代表値の短期間の平均値と、中期間の平均値と、長期間の平均値との上下関係からパターン分類するパターン分類手段を備えて構成される。
この短期間、中期間、長期間は、時間単位を日と週と月のいずれにするかで異なるが、それぞれの時間単位において、株取引等の相場取引でそれぞれ短期、中期、長期と見なすことができる期間である。
【００１９】
より具体的には、日を時間単位とする場合は、１日の代表値（例えば株価の終値等）を用いて、短期間は２日〜４日好ましくは３日で、中期間は２０日〜３０日好ましくは２５日で、長期間は６５日〜８５日好ましくは７５日である。また、週を時間単位とする場合は、週の代表値（例えば株価の終値等）を用いて、短期間は２週〜４週好ましくは３週で、中期間は１０週〜１６週好ましくは１３週で、長期間は２０週〜３２週好ましくは２６週である。また、月を時間単位とする場合は、月の代表値（例えば株価の終値等）を用いて、短期間は２月〜４月好ましくは３月で、中期間は１０月〜１４月好ましくは１２月で、長期間は３０月〜４２月好ましくは３６月である。なお、株価の場合には、この価格の代表値として、その時間単位における株価の終値を選ぶのが好ましい。
【００２０】
つまり、日と週と月のそれぞれにおいて、その時間単位における株価の終値等の価格の代表値の短期間の平均値と、中期間の平均値と、長期間の平均値の３つの平均値があるので、日と週と月の全体では９個の平均値が算出されることになる。
【００２１】
そして、日と週と月のそれぞれにおいて、その時間単位における価格の代表値の短期間の平均値と、中期間の平均値と、長期間の平均値との上下関係からＡパターン〜Ｆパターンの６種類のパターンに分類する。
【００２２】
以上の構成によれば、３つの移動平均値の上下関係で６パターンに分類するという簡単なアルゴリズムで、価格の現在に至るまでの経過を含んだ価格の現在の状況や動向をパターン分類して、表示できる。
【００２３】
しかも、このパターン分類は、短期間の移動平均値と中期間の移動平均値と長期間の移動平均値の上下関係でパターン分類しているので、特定の個別銘柄の動向を的確に示す指標となり、また、現在の状態をパターンで提供することにより、煩雑な短期動向、中期動向、長期動向の関係を考えることなく、価格の現況と動向を簡単にまた的確に理解及び判断できるようになる。
【００２４】
２）上記の相場情報の検索及び表示システムにおいて、前記検索手段として、前記分類されたパターンを検索して、前記検索者によって入力及び指定された所定のパターンを有する個別銘柄を抽出する第１個別銘柄検索手段を備えて構成される。
【００２５】
この構成により、従来は、経験豊かな者が独自の情報に基づいて選択したり、幾つかの価格チャートを見て選択したりしていた、特定の動向の個別銘柄を、この第１個別銘柄検索では、入力及び指定されたパターンを持つ個別銘柄を抽出するという非常に簡単なアルゴリズムで検索するので、多数の相場情報を検索して該当する個別銘柄を抽出する作業を行っても、短時間で済むことになる。
【００２６】
そして、この第１個別銘柄検索のパターン分類による検索は、価格チャートの連続性を取り入れた検索であるため、検索した時点での状態が、その日以降も続くと高い確率で予想される個別銘柄を検索して抽出できるものとなり、確率の高い先読みができ、検索者の期待を満足できるデータを提供できるようになる。
【００２７】
３）又は、前記移動平均算出手段が、前記時間単位及び前記各期間において、前記基準時における価格の代表値の平均値が、前記基準時の直前の時における価格の代表値の平均値より大きい場合は「陽足」とし、小さい場合には「陰足」とすると共に、前記検索手段として、前記「陽足」と前記「陰足」を検索して、前記時間単位及び前記各期間の組合せの内の少なくとも一つの時間単位と期間の組合せにおいて、前記検索者によって入力された、前記「陽足」の所定の直近の連続期間又は前記「陰足」の所定の直近の連続期間を有する価格チャートを持つ個別銘柄を抽出する第２個別銘柄検索手段を備えて構成される。    
【００２８】
日、週、月と短期間、中期間、長期間の９通りの各移動平均のデータにおいて、基準時における価格の代表値の平均値が、基準時の直前の時における価格の代表値の平均値よりも大きく、上昇傾向にある時はピンク色表示の「陽足」（上昇）とし、小さく、下降傾向にある時はブルー色表示の「陰足」（下降）とする。なお、同じ場合には、直前の「足」と同じ色表示とする。なお「足」自体は上下同じ値のため一直線となる。
【００２９】
そして、第２個別銘柄検索手段では、基準日から過去に逆上って、この「陽足」の直近の連続期間又は「陰足」の直近の連続期間が検索者によって入力及び指定された所定期間だけあるか、否かで価格チャートを検索し、これに該当する価格チャートを有する個別銘柄を抽出する。
【００３０】
なお、この第２個別銘柄検索手段は、第１個別銘柄検索手段と共に、個別銘柄検索手段を構成してもよく、第２個別銘柄検索手段だけで、個別銘柄検索手段を構成してもよい。  この構成によれば、第２個別銘柄検索により、指定された「陽足」又は「陰足」の直近の連続期間を有する価格チャートを持つ個別銘柄を抽出するので、検索者による入力は多少多くなるが、パターン分類による第１個別銘柄検索よりも、よりきめ細かい検索が可能となる。
【００３１】
また、この第２個別銘柄検索により、パターン分類による個別銘柄検索で抽出した銘柄を更に絞り込むこともでき、更に精度の高い検索が可能となる。従って、検索者が希望するような非常に限定された状況及び動向を有する価格チャートを有する個別銘柄の検索が可能となる。
【００３２】
そして、この第２個別銘柄検索も、価格チャートの連続性を取り入れた検索であるため、検索した時点での状態が、高い確率でその日以降も続くと予想される個別銘柄を検索して抽出することができる。
【００３３】
４）そして、上記の相場情報の検索及び表示システムにおいて、前記価格チャート表示手段が、前記価格チャートの表示時に、パターン別の色分けに従って前記パターンを時系列的に色別表示するように構成される。
【００３４】
価格チャートにおいては、基準時の価格の代表値の平均値（移動平均値）と、基準時の直前における価格の代表値の平均値（直前の移動平均値）とを、上下とし、時間単位を幅として形成された矩形帯を表示単位の「足」として時系列表示する。
【００３５】
そして、日を時間単位とする場合は、「日足」と呼び、週及び月を時間単位とする場合は、「週足」及び「月足」と呼ぶ。そして、短期間の「足」を「短期足」と呼び、中期間及び長期間の「足」を、「中期足」及び「長期足」と呼ぶ。
【００３６】
従って、「日足」「週足」「月足」のそれぞれに、「短期足」、「中期足」、「長期足」が存在するので、９通りの「足」が存在することになる。
価格チャートでは、この「短期足」「中期足」「長期足」を同じ画面に時系列表示するが、この時に、「短期足」「中期足」「長期足」の上下関係によって分類されたパターンに対応した色を時間軸に平行な帯状に時系列表示する。
【００３７】
このパターンの色別表示により、「短期足」「中期足」「長期足」の上下関係を考えることなく、各時点のパターン色によって、その時点における価格の状況及び動向を把握でき、また、直感的に分かりやすい色の時系列的な変化で価格の時間変化を捉えることができるようになる。
【００３８】
このパターン分類によって価格の時間変化や動向が把握できるのは、このパターンが、この基準時における「短期足」と「中期足」と「長期足」の３つのデータを基にパターン分類されており、しかも、これらの「短期足」と「中期足」と「長期足」が、それぞれ、短期間、中期間、長期間のデータを集約化したものであるからである。
【００３９】
この構成によれば、価格チャートの表示時に、価格状況を、短期、中期、長期の３つのデータを集約したパターンで、しかも視覚的に受け入れ易い色で表示するので、検索者が、「短期足」「中期足」「長期足」の上下関係を考えることなく、その時点における価格の状況や価格の時間変化を直感的に簡単に把握できるようになり、検索者の価格状況に関する理解及び判断をより適切なものにすることができる。
【００４０】
〔相場情報の検索及び表示方法〕
また、相場情報の検索及び表示方法は、相場情報を取り込んでデータ記憶部に記憶する相場情報入手手段と、前記データ記憶部に記憶した相場情報から、日と週と月の少なくとも一つを時間単位として、この時間単位における基準時の直近の短期間、中期間、長期間における価格の代表値の平均値を算出する移動平均算出手段と、検索者によって入力された検索条件に従って、所定の動向の個別銘柄を検索する個別銘柄検索手段と、該検索で抽出された個別銘柄の前記取り込んだ相場情報を提供する検索結果提供手段と前記算出された平均値を表示する価格チャート表示手段を有して構成される相場情報の検索及び表示システムにおける相場情報の検索及び表示方法であって、次のように構成される。
【００４１】
１）前記価格の代表値の短期間の平均値と、中期間の平均値と、長期間の平均値との上下関係からパターン分類するように構成される。
２）上記の相場情報の検索及び表示方法において、前記分類されたパターンを検索して、前記検索者によって入力及び指定された所定のパターンを有する個別銘柄を抽出するように構成される。
【００４２】
３）又は、前記時間単位及び前記各期間において、前記基準時における価格の代表値の平均値が、前記基準時の直前の時における価格の代表値の平均値より大きい場合は「陽足」とし、小さい場合には「陰足」とすると共に、前記「陽足」と前記「陰足」を検索して、前記時間単位及び前記各期間の組合せの内の少なくとも一つの時間単位と期間の組合せにおいて、前記検索者によって入力された、前記「陽足」の所定の直近の連続期間又は前記「陰足」の所定の直近の連続期間を有する価格チャートを持つ個別銘柄を抽出するように構成される。
【００４３】
なお、この「陽足」「陰足」による個別銘柄検索は、パターン分類による個別銘柄検索と併用してもよく、単独で用いてもよい。
４）そして、上記の相場情報の検索及び表示方法において、前記価格チャートの表示時に、前記パターンをパターン別の色分けに従って時系列的に色別表示するように構成される。
【００４４】
これらの構成の相場情報の検索及び表示方法によれば、上述した相場情報の検索及び表示システムと同様な効果を奏することができる。
【発明の効果】
【００４５】
以上の説明のように、本発明の相場情報の検索及び表示システムと相場情報の検索及び表示方法によれば、次のような効果を奏することができる。
本発明の相場情報の検索及び表示システムと相場情報の検索及び表示方法では、株式や商品や先物や為替等の相場において、株価の終値等のその時間単位における価格を代表する価格の代表値の短期間の平均値と、中期間の平均値と、長期間の平均値の上下関係から、パターンを分類するパターン分類手段により、短期間、中期間、長期間のデータを集約化した「短期足」と「中期足」と「長期足」の上下関係のみでパターン分類するので、簡単なアルゴリズムで、価格の現在に至るまでの経過を含んだ価格の現在の状況や動向をパターン分類して、提供できる。
【００４６】
しかも、このパターン分類は、「短期足」と「中期足」と「長期足」の上下関係でパターン分類することにより、特定の個別銘柄の動向を的確に示す指標となると共に、パターン化することにより、煩雑な「短期足」「中期足」「長期足」の上下関係を考えることなく、所定の個別銘柄の動向を表現するパターンで認識することにより、価格の現況と動向を簡単にまた的確に理解及び判断できるようになる。
【００４７】
そして、この相場情報の検索及び表示システムと相場情報の検索及び表示方法は、指定された所定のパターンに該当する価格チャートを持つ個別銘柄を抽出する第１個別銘柄検索で、個別銘柄を検索することにより、従来は、経験豊かな者が独自の情報に基づいて選択したり、幾つかの価格チャートを見て選択したり、複雑なアルゴリズムで選択していた、特定の動向の個別銘柄を、パターン指定という初心者でも検索条件を入力できる検索条件で、入力及び指定されたパターンを持つ個別銘柄を抽出するという非常に簡単なアルゴリズムで検索するので、多数の相場情報を短時間で検索して、該当する個別銘柄を抽出して提供することができる。
【００４８】
この第１個別銘柄検索では、簡単な入力データを受けるだけで、時々刻々変化している相場情報の多くのデータから、検索者が要望する特定の傾向にある価格チャートを有する個別銘柄を検索して抽出することができる。
【００４９】
このパターン分類による検索は、検索者が期待する確率の高い先読みができるような価格チャートの連続性を取り入れた検索であるため、検索した時点での状態が、その日以降も続くと高い確率で予想される個別銘柄を検索して抽出できる。そのため、この検索で抽出された個別銘柄の価格の動向は、高い確率で先読みできるものとなる。
【００５０】
そして、本発明の相場情報の検索及び表示システムと相場情報の検索及び表示方法は、第２個別銘柄検索により、指定された「陽足」又は「陰足」の所定の直近の連続期間を有する価格チャートを持つ個別銘柄を抽出するので、検索者による入力は多少多くなるが、パターン分類による第１個別銘柄検索よりも、よりきめ細かい検索が可能となる。
【００５１】
また、この第２個別銘柄検索により、パターン分類による個別銘柄検索で抽出した銘柄を更に絞り込むこともでき、更に精度の高い検索が可能となる。従って、そのものずばりの要望された状況を有する個別銘柄の検索が可能となる。
【００５２】
そして、この第２個別銘柄検索も、価格チャートの連続性を取り入れた検索であるため、検索した時点での状態が、その日以降も続くと高い確率で予想される個別銘柄を検索して抽出できる。
【００５３】
更に、本発明の相場情報の検索及び表示システムと相場情報の検索及び表示方法は、価格チャートの表示時に、パターンをパターン別の色分けに従って、時系列的に色別表示するので、このパターンの色別表示により、検索者が、「短期足」「中期足」「長期足」の上下関係を考えることなく、その時点における価格の状況や価格の時間変化を直感的に簡単に把握できるようにすることができる。
【００５４】
つまり、価格状況を、短期、中期、長期の３つのデータを集約したパターンで、しかも視覚的に受け入れ易い色で表示することができるので、検索者の価格状況に関する理解及び判断をより適切なものにすることができる。
【発明を実施するための最良の形態】
【００５５】
以下、図面を参照しながら、本発明の実施の形態の相場情報の検索及び表示システムと相場情報の検索及び表示方法について説明する。なお、本発明は商品や先物や為替等の相場情報全般に適用できるが、この実施の形態では、相場情報の一つである株式情報を、また、価格の代表値として株価の終値を採用した場合について説明する。
【００５６】
〔相場情報の検索及び表示システム〕
先ず、最初に本発明の実施の形態の相場情報（株式情報）の検索及び表示システムについて説明する。
【００５７】
図１に示すように、この相場情報（相場情報）の検索及び表示システム１は、データ入力部１０とデータ処理部２０とデータ記憶部３０とデータ出力部４０を有して構成される。
【００５８】
このデータ入力部１０は、図２に示すように、相場情報（株式情報）入手手段１１、検索用データ入力手段１２、表示画面変更手段１３、操作用データ入力手段１４等を有して構成され、データ処理部２０は、図３に示すように、移動平均算出手段２１、パターン分類手段２２、第１個別銘柄（株式銘柄）検索手段２３、第２個別銘柄（株式銘柄）検索手段２４等を有して構成される。
【００５９】
また、データ記憶部３０は、図４に示すように、相場情報（株式情報）データ部３１、移動平均データ部３２、パターンデータ部３３、第１検索データ部３４、第２検索データ部３５、画面表示用データ部３６等を有して構成され、データ出力部４０は図５に示すように、各種基本画面表示手段４１、各種小画面表示手段４２、検索結果提供手段４３、価格チャート（株価チャート）表示手段４４、プリントアウト手段４５、音声解説手段４６等を有して構成される。
【００６０】
データ入力部１０の相場情報入手手段１１は、証券取引所と契約した価格提供会社、あるいは、株式投資顧問会社等の相場情報源（株式情報源）５０から電子回線等を経由して相場情報（株式情報）を取り込み、データ処理部２０で必要なデータ処理を行い、データ記憶部３０の相場情報（株式情報）データ部３１に記憶する手段である。
【００６１】
また、検索用データ入力手段１２は、検索用のデータの入力を受付けるための手段であり、表示画面変更手段１３は、表示画面の切り換え指示を受付けるための手段であり、操作用データ入力手段１４は、プリントアウトや音声解説等を選定するための手段である。    
【００６２】
データ処理部２０の移動平均算出手段２１は、相場情報入手手段１１によって取り込まれた相場情報を相場情報データ部３１から入力して、日、週、月を単位時間とし、それぞれの単位時間において、基準時の価格の代表値（株価の終値）の直近の期間（短期、中期、長期）の平均値（移動平均値）を算出して、データ記憶部３０の移動平均データ部３２に記憶する手段である。
【００６３】
パターン分類手段２２は、移動平均算出手段２１によって算出された短期、中期、長期の３期間の平均値を基に、価格状況を６つのパターンに分類し、データ記憶部３０のパターンデータ部３３に記憶する手段である。
【００６４】
第１個別銘柄（株式銘柄）検索手段２３は、検索用データ入力手段１２で検索者によって入力されたパターンに相当する個別銘柄（株式銘柄）の抽出を、パターン分類手段２２によって分類されたパターンデータ内を検索して行い、抽出された個別銘柄を、データ記憶部３０の第１検索データ部３４に記憶する手段である。
【００６５】
そして、第２個別銘柄（株式銘柄）検索手段２４は、検索用データ入力手段１２で検索者によって入力された「陽足」又は「陰足」の連続期間（連続本数）を基に、この「陽足」又は「陰足」の基準日から過去に逆上る直近の連続期間を有する価格チャートを持つ個別銘柄を抽出して、データ記憶部３０の第２検索データ部３５に記憶する手段である。
【００６６】
また、データ出力部４０の各種基本画面表示手段４１は、データ記憶部３０の画面表示用データ部３６から必要なデータを入力して、基本的な画面を表示する手段であり、各種小画面表示手段４１は、基本的な画面に重ねて、小画面を表示する手段である。
【００６７】
検索結果提供手段４３は、第１検索データ部３４や第２検索データ部３５に記憶された個別銘柄等を提供する手段であり、価格チャート表示手段４４は、データ記憶部３０に記憶された諸データを適宜呼び出して、各種基本画面表示手段４１や各種小画面表示手段４２等と協働して表示画面に表示する手段であり、この価格チャート表示手段４４により、「日足」の価格チャートや「週足」の価格チャート等を個別又は並列に表示する。
【００６８】
また、プリントアウト手段４５は、必要なデータをプリントアウトする手段であり、音声解説提供手段４６は、音声による解説を提供したり、入力の説明を音声で提供したりするための手段である。
【００６９】
〔データ処理〕
次に、この相場情報の検索及び表示システム１と相場情報の検索及び表示方法においてなされる演算や「増田足」やパターン分類や検索等のデータ処理について説明する。
【００７０】
価格チャートや個別銘柄の検索の元となる相場情報としては、株式情報では、取引の日付、始値（寄り付き）、安値、高値、終値、前比、出来高等の価格データがあり、これらの相場情報は、データ入力部１０の相場情報入手手段１１により、証券取引所と契約した価格提供会社、あるいは、株式投資顧問会社等の相場情報源５０からオンラインやインターネット等の電子回線経由で相場情報の検索及び表示システム１内に取り込まれ、必要に応じてデータ処理部２０でデータ処理が行われ、データ記憶部３０の相場情報データ部３１に記憶される。
【００７１】
〔移動平均の算出（「増田足」の算出）〕
データ処理部２０の移動平均算出手段２１では、これらの累積した価格データをデータ処理し、基準時（日、週、月等）を含めた直近の期間の価格の代表値（ここでは、株価の終値を採用）の平均値を算出する。
【００７２】
そして、図１５に例示するように、基準時（日、週、月等）を含めた直近の期間の価格の代表値の平均値と、直前の基準時におけるその基準時を含めた直近の同じ長さの期間の価格の代表値の平均値とを上下値とし、基準時の時間単位（日、週、月等）を幅とする矩形帯を「増田足」（総称）と呼ぶ「足」（「日足」や「短期足」等）の表示単位として設定する。
【００７３】
そして、この基準時の時間単位を日とした場合に「日足」、週とした場合に「週足」、月とした場合に「月足」と呼び、また、直近の期間を、短期とした場合には「短期足」、中期とした場合には「中期足」、長期とした場合には「長期足」と呼ぶ。
【００７４】
また、基準時の移動平均値が、直前の移動平均値より大きい場合、即ち、上昇の場合には「増田足」の矩形帯内をピンクで色表示し「陽足」と呼ぶ。また、小さい場合、即ち、下降の場合に矩形帯内をブルーで色表示し「陰足」と呼ぶ。また、同じ場合は、直前の色と同じ色とする。なお「足」自体は一直線となる。
【００７５】
なお、この「増田足」の数（時間単位の数）を「本数」で数える。例えば２日分の「日足」を２本の「日足」と呼び、３週分の「週足」を３本の「週足」と呼ぶ。
より具体的には、移動平均算出手段２１によって、次のような処理が行われ、相場情報記憶部３０の移動平均データ部３２に記憶される。
【００７６】
「日足」のデータとしては、直近の短期間（例えば３日間）の価格の代表値の平均値を、価格の急伸、急落、転換を知るための指標である「短期足」とし、直近の中期間（例えば２５日間）の価格の代表値の平均値を価格の中期的な転換、強弱の方向性を知るための指標である「中期足」とし、直近の長期間（例えば７５日間）の価格の代表値の平均値を価格の中長期の転換、強弱、方向性を知るための指標である「長期足」とする。
【００７７】
また、「週足」のデータとしては、直近の短期間（例えば３週間）の価格の代表値の平均値を「日足」よりも穏やかな転換を知るための指標である「短期足」とし、直近の中期間（例えば１３週間）の価格の代表値の平均値を中期的な売買の動向を得るための指標である「中期足」とし、直近の長期間（例えば２６週間）の価格の代表値の平均値を価格の長期的な将来の動向を知るための指標である「長期足」とする。
【００７８】
そして、「月足」のデータとしては、直近の短期間（例えば３月間）の価格の代表値の平均値を「短期足」とし、直近の中期間（例えば１２月間）の価格の代表値の平均値を「中期足」とし、直近の長期間（例えば３６月間）の価格の代表値の平均値を「長期足」とする。
【００７９】
〔パターン分類〕
次に、本発明の特徴の一つであるパターン分類手段２２では、移動平均算出手段２１によって算出された「増田足」のデータを比較して、次に説明するような「増田足パターン」に分類し、相場情報記憶部４０のパターンデータ部３３に記憶する。
【００８０】
この「増田足パターン」は、「短期足」と「中期足」と「長期足」の上下を示すデータの内の基準時（基準日、基準週、基準月のいずれか）のデータ（直近の期間の価格の代表値の平均値）の３つの上下関係から、Ａパターン〜Ｆパターンの６種類のパターンに分類するものである。
【００８１】
先ず、上昇トレンドに関係するものとして、下から上に順に、「中期足」、「長期足」、「短期足」と並んだものをＡパターンとする。このＡパターンは、上昇トレンドの入口である「立ち上がり」を示すパターンとなる。
【００８２】
また、下から上に順に、「長期足」、「中期足」、「短期足」と並んだものをＢパターンとする。このＢパターンは、「上昇トレンド」を示すパターンとなる。
また、下から上に順に、「長期足」、「短期足」、「中期足」と並んだものをＣパターンとする。このＣパターンは、「上昇トレンドの崩れ」を示すパターンとなる。
【００８３】
次に、下降トレンドに関係するものとして、下から上に順に、「短期足」、「長期足」、「中期足」と並んだものをＤパターンとする。このＤパターンは、「下降トレンドの入口」を示すパターンとなる。
【００８４】
また、下から上に順に、「短期足」、「中期足」、「長期足」と並んだものをＥパターンとする。このＥパターンは、「下降トレンド」を示すパターンとなる。
また、下から上に順に、「中期足」、「短期足」、「長期足」と並んだものをＦパターンとする。このＦパターンは、「下降トレンドの終焉」を示すパターンとなる。
【００８５】
この「増田足パターン」のパターン分類によれば、個別銘柄の価格データは、「日足」、「週足」、「月足」のそれぞれについて、Ａパターン〜Ｆパターンの６パターンに分類される。従って、これらの組合せは数式の上では６×６×６＝２１６通りとなる。
【００８６】
そして、これらのパターンは、「増田足パターン」と呼ばれ、それぞれが、短期平均値、中期平均値、長期平均値の大小関係で決まり、短期動向と中期動向と長期動向を含んだものとなっているため、それぞれのパターンが、価格の動向を表わすための有力な指標となる。
【００８７】
〔第１個別銘柄検索：増田足パターンによる検索〕
そして、本発明の特徴の一つである第１個別銘柄検索手段２３により、検索用画面から入力された「増田足パターン」に適合する価格チャートを持つ個別銘柄を検索及び抽出することができる。この第１個別銘柄検索手段３４で採用する検索方法は、「増田足パターン」のパターン分類を利用して、個別銘柄を検索する方法である。
【００８８】
先ず、「日足で検索」か「週足で検索」のいずれかを指定し、基準日を入力し、例えば、「買い銘柄」として、Ａパターン，Ｂパターン，Ｃパターンのいずれか一つが選択されると、パターンデータ部３３内を検索して該当する個別銘柄を抽出し、また、「売り銘柄」として、Ｄパターン，Ｅパターン，Ｆパターンのいずれか一つが選択されると、パターンデータ部４３内を検索して該当する個別銘柄を抽出する。
【００８９】
なお、基準日の設定は、検索日当日を標準設定とし、入力により過去の特定の日に変更可能にしておくのが便利である。また、先に「日足で検索」を選択して検索を行ってから、更に、「週足で検索」を選択して、「日足」で検索した個別銘柄を更に「週足」で検索して絞り込むこともできる。
【００９０】
また、特定の時点（基準時）におけるパターン認識だけではなく、検索の仕方を拡げて、パターンの変化を指定して検索することも簡単にできる。
このパターンの変化としては、例えば、「日足」において、「Ａ→Ｂ→Ｃ→Ｄ→Ｅ→Ｆ」や、「Ａ→Ｂ→Ｃ→Ｂ→Ｃ→Ｄ→Ｅ→Ｆ」のような変化がある。
【００９１】
〔第２個別銘柄検索：キュービックによる検索〕
本発明の特徴の一つである第２個別銘柄検索手段２４で採用している検索方法は、「日足」、「週足」、「月足」の各「足」における連続する「陽足」又は「陰足」の直近の連続本数（連続期間）を指定して検索する方法であり、「キュービックによる検索」と呼ぶ。
【００９２】
この検索方法によれば、「増田足パターン」分類による第１個別銘柄検索よりもよりきめ細かい検索が可能となる。また、第１個別銘柄検索で選択した銘柄を更に絞り込むこともでき、そのものずばりの要望された状況を有する個別銘柄の検索が可能となる。
【００９３】
この第２個別銘柄検索では、「日足」、「週足」、「月足」を別々ではなく、「日足」と「週足」、あるいは、「日足」と「週足」と「月足」等といった組合せによって細分化した検索が、分かり易くしかも簡単にできることが特徴であり、この第２個別銘柄検索を使用すると、例えば、同じ「Ｂパターン」の上昇トレンドであっても、「押し目」を作っている銘柄であるか、あるいは、上昇トレンドの初期段階にある銘柄であるのか、高値圏まで達してしまっている銘柄であるのか等の選別が容易にできる。
【００９４】
また、「短期足」ピンク、「中期足」ピンク、「長期足」ピンクとして検索すると、これから「上昇トレンド」の形のチャート（パターン分類では主にＢパターン、又は、Ａパターンで「買い銘柄」となる）を有する個別銘柄を選ぶことが出来る。
【００９５】
更に、「短期足」ブルー、「中期足」ブルー、「長期足」ブルーとして検索すると、「下降トレンド」の形のチャート（パターン分類では主にＥパターン、又は、Ｆパターンで「カラ売り銘柄」となる）を有する個別銘柄を選ぶことが出来る。
【００９６】
次に「連続本数」についてであるが、例えば、「週足」の「短期足」ブルー、「中期足」ピンク、「長期足」ピンクで検索すると主にＡパターンかＢパターン又はＣパターンのチャートが検索されるが、ブルーの「短期足」を連続２本以下（基準日を含めて過去２週連続「陰足」で過去３週目は「陽足」）にして検索すると、更に、精度を上げてＡパターン又はＢパターンの銘柄に絞り込むことができる。
【００９７】
更に、「日足」、「週足」、「月足」を組合わせれば、更に精度の高い検索が可能となる。
つまり、「日足」Ｂパターン、「週足」Ａパターンのような「日足」と「週足」のパターンの組合せによる検索を行うことも可能である。「日足」、「週足」、「月足」のパターンの組合せを、更にパターン化（例えば、「日足」がＡパターンで、「週足」と「月足」がＢパターンを「ＡＢＢパターン」とする等）することによって、より精度の高い銘柄検索が簡単に行えるようになる。
【００９８】
なお、直近の連続期間を厳密に「陽足」のみの連続又は「陰足」のみの連続としてもよいが、必要に応じて、小さな「陰足」「陽足」を無視するようにしてもよい。即ち、「陽足」の連続２０期間を検索する場合に、直近の連続２０期間内に小さな「陰足」が有っても、数えず無視して、「陽足」の連続期間の数に含めて「陽足」の数を検索するように構成してもよい。この小さいと見なす「陰足」「陽足」の範囲（価格幅）は、予め設定しておいてもよく、所定の連続期間の長短に応じて変化するように設定しておいてもよく、また、選択や入力設定できるようにしておいてもよい。
【００９９】
〔増田足パターンの色表示帯〕
次に、本発明の特徴の一つである「増田足パターンの色表示帯」について、図１３に示す表示画面例を参照しながら説明する。
【０１００】
この図１３では、データ出力部４０の価格チャート表示手段４４が、上半分の「日足チャート」に「日足」の「短期足」「中期足」「長期足」を同時にそれぞれ「日足短期線」「日足中期線」「日足長期線」として時系列表示し、下半分の「週足チャート」に「週足」の「短期足」、「中期足」、「長期足」を同時にそれぞれ「週足短期線」「週足中期線」「週足長期線」として時系列表示する。
【０１０１】
それと共に、「増田足パターンの色表示帯」として、上半分の「日足チャート」の画面上側で、左右方向（時間軸方向）に延び、上から下に並ぶ「日足」、「週足」の２つのそれぞれの帯域に、「増田足パターン」のＡパターン〜Ｆパターンに従って色分けして、「日足」、「週足」のそれぞれのパターン色を表示する。なお、「月足」のパターンはパターン分類の意味が薄いので省いている。
【０１０２】
この色としては、例えば、Ａパターンを黄色、Ｂパターンを緑色、Ｃパターンを赤色、Ｄパターンを暗い赤色、Ｅパターンを暗い灰色、Ｆパターンを暗い黄色とし、「日足」と「週足」で共通の色表示とする。
【０１０３】
この「増田足パターンの色表示帯」を「増田足」の「価格チャート画面」上の表示することによって、売り買いのポイントが見付け易くなり、チャートの読みが簡単になる。特に従来においては、「日足」と「週足」を別々に読んで、それぞれの「短期線」、「中期線」、「長期線」の３本の絡みから判断していたのが、「日足」と「週足」を同時に、しかも、直感的に分かり易い色を用いて表示しているので、一目で総合的に判断できるようになる。
【０１０４】
〔相場情報の検索及び表示の流れ〕
次に、これらの構成の相場情報の検索及び表示システム１における相場情報の検索及び表示の流れについて説明する。この流れの一例を図６に示す。
【０１０５】
最初に、この相場情報の検索及び表示システム１を起動させると、コンピュータにインストールしてあるアプリケーションソフトが起動され、ステップＳ１１で、この相場情報の検索及び表示システム１は、各種基本画面表示手段４２により、図７に示すような「起動画面（起動ウィンドウ）」を表示する。
【０１０６】
この図７の「起動画面」の下側にある「受信」ボタンが選択（クリック）されると、システム１は、ステップＳ１２に行き、相場情報入手手段１１により最新の相場情報（株式情報）を相場情報源５０より入力し、必要に応じてデータ処理部２０でデータ処理を行い、データ記憶部３０の相場情報データ部３１に記憶する。
【０１０７】
また、図７の「起動画面」の下側にある「銘柄選択画面」への導入ボタンである「チャート」が選択（クリック）されると、表示画面変更手段１３で感知し、システム１は、ステップＳ１３に行き、移動平均算出手段２１により相場情報データ部３１から必要なデータを得て、「日足」、「週足」、「月足」の各「短期足」、「中期足」、「長期足」を算出し、データ記憶部３０の移動平均データ部３２に記憶する。
【０１０８】
そして、時間単位及び各期間において、基準時における価格の代表値（株価の終値）の平均値が、基準時の直前の時における価格の代表値の平均値以上の場合は「陽足」とし、小さい場合には「陰足」とし、移動平均データ部３２に記憶する。
【０１０９】
更に、パターン分類手段２２が、移動平均データ部３２や相場情報データ部３１からデータを入力して、「日足」等の「増田足」を「増田足パターン」のＡパターン〜Ｆパターンに分類して、つまり、価格の代表値の短期間の平均値と、中期間の平均値と、長期間の平均値との上下関係からパターン分類して、パターン化し、その結果をパターン記号（例えば、Ａ〜Ｆ）等でパターンデータ部３３に記憶する。
【０１１０】
この後、システム１は、画面表示用データ部３６や相場情報データ部３１や移動平均データ部３２等から必要なデータを入力して、各種基本画面表示手段４１や価格チャート表示手段４４により、図８に示すような「銘柄選択画面」を表示する。
【０１１１】
この「銘柄選択画面」を表示した状態で、右下の「増田足で検索」がクリックされると、システム１は、ステップＳ１４に行き、表示画面変更手段１３でこれ感知し、各種基本画面表示手段４１や価格チャート表示手段４３により、図９の「増田足で検索画面」を表示する。
【０１１２】
〔第１個別銘柄検索：増田足パターンによる検索〕
そして、検索者が、図９の「増田足で検索画面」において、「日足で検索」又は「週足で検索」のいずれかのボタンをクリックし、「基準日」を入力した後に、右上に表示された６種類のＡパターン〜Ｆパターンをそれぞれ例示している６個の小画面の内から、検索したいパターン（例えばＡパターン）の小画面をクリックすると、システム１は、検索用データ入力手段１２によりこれを感知して、ステップＳ１５に行き、第１個別銘柄検索手段２３によりパターンデータ部３３のデータに対して「増田足パターンによる検索」を行い、分類されたパターンデータを検索して、検索者によって入力及び指定された所定のパターンを有する個別銘柄（株式銘柄）を抽出し、この検索結果を第１検索データ部３４に記憶する。
【０１１３】
この検索で抽出した個別銘柄を、ステップＳ１７で、システム１は、検索結果提供手段４３により、図１２の「増田足で検索画面」のように、中央の銘柄表示用小画面に表示する。この図１２の「増田足で検索画面」では、銘柄表示用小画面に、検索された全部で３１銘柄が表示されている。
【０１１４】
〔第２個別銘柄検索：キュービックによる検索〕
そして、図９の「増田足で検索画面」において、左下に表示された３行３列の計９個の「１〜９９９」表示の「キュービックボタン」が選択されると、システム１は、検索用データ入力手段１２によりこれを感知して、第２個別銘柄検索手段２４により、「キュービックによる検索」を行う。
【０１１５】
この９個の「キュービックボタン」は、上から「月足」、「週足」、「日足」用に配置され、また、左から右に「長期足」、「中期足」、「短期足」用に配置されている。
この「キュービックによる検索」では、検索者は、検索データとして選択する「足」を「月足」、「週足」、「日足」と「長期足」、「中期足」、「短期足」との組合せで選択し、ホワイトで色表示された「キュービックボタン」（例えば、「日足の短期足」）をクリックする。
【０１１６】
このクリックにより、システム１は、クリックされた「キュービックボタン」の色表示をピンクとし、更にクリックされると、ブルーで色表示し、更にクリックされるとホワイトに戻す。そして、ピンクの色表示にした場合は「陽足」（上昇）が選択されたことになり、ブルーの色表示にした場合は「陰足」（下降）が選択されたことになる。
【０１１７】
また、この「キュービックボタン」のクリックにより、システム１は、各種小画面表示手段４２により、図１０に示すように「連続本数」の小画面を表示する。ここで、検索者が、検索データとしての本数（図１１では、１〜５）を入力し、更に「ＯＫ」をクリックすると、検索用の「連続本数」が設定される。
【０１１８】
検索者は、これを各「キュービックボタン」について繰り返し、各「キュービックボタン」の色をピンクかブルーにして「陽足（上昇）」か「陰足（下降）」を選択し、それぞれの連続本数を入力する。また、特に、検索条件に入れない場合は、「キュービックボタン」の色をホワイトにしておく。
【０１１９】
なお、連続本数のみを変更する場合に、「キュービックボタン」の上の「色固定」のチェックボタンをクリックして「レ点」を表示させると、全「キュービックボタン」の色を固定し、「キュービックボタン」をクリックしても色が変化しないようにすることができ、「連続本数」の小画面が表示され連続本数データの入れ替えができる。この色固定の解除は、「色固定」のチェックボタンを再度クリックして「レ点」を非表示とすることにより行う。
【０１２０】
図１２では、「日足の短期足」のブルー「陰足」の連続本数が１〜５本、「日足の中期足」のピンク「陽足」の連続本数が１〜９９９本、「日足の中期足」のピンク「陽足」の連続本数が１〜９９９本、「週足の短期足」のピンク「陽足」の連続本数が１０〜９９９本を条件としている。
【０１２１】
この各「キュービックボタン」の色（「陽足（上昇）」か「陰足（下降）」）の選定と、連続本数の入力により、検索条件が入力されたことになるので、検索者は、この入力を確認してから、「キュービックボタン」の下の「検索開始」ボタンをクリックする。
【０１２２】
この「検索開始」ボタンがクリックされると、ステップＳ１６に行き、システム１の第２個別銘柄検索手段２４が移動平均データ部３２や相場情報データ部３１からデータを入力しながら検索を行い、検索結果を第２検索データ部３５に記憶する。そして、ステップＳ１７で、検索結果提供手段４３が検索で抽出された個別銘柄を、図１２に示すように、中央の銘柄表示用小画面に表示する。
【０１２３】
これにより、各個別銘柄の移動平均データ部３２の「陽足」と「陰足」を検索して、時間単位（日、週、月）及び各期間（短期間、中期間、長期間）の組合せの内の少なくとも一つの時間単位と期間の組合せ（図１２では、日×短期間、日×中期間、日×長期間、週×長期間）において、検索者によって入力された「陽足」の所定の直近の連続期間又は前記「陰足」の所定の直近の連続期間を有する価格チャートを持つ個別銘柄を抽出することができる。
【０１２４】
〔増田足パターンの色別表示〕
そして、この第１個別銘柄検索手段２３又は第２個別銘柄検索手段２４により検索した結果を、検索結果提供手段４３により表示した中央の銘柄表示用小画面において、さらに、検索者は、特定の個別銘柄を一つ選択し、下の「チャート」をクリックする。
【０１２５】
この「チャート」のクリックにより、システム１は、ステップＳ１８に行き、価格チャート表示手段４４により、移動平均データ部３２や相場情報データ部３１から必要なデータを入力して、図１３に示す「チャート画面（その１）」を表示する。
【０１２６】
右側中段の「週同時」ボタンをクリックすると、システム１は、図１３の「チャート画面（その１）」に示すように、上半分の「日足チャート」に「日足」の「短期足」、「中期足」、「長期足」を同時にそれぞれ「日足短期線」「日足中期線」「日足長期線」として時系列表示し、下半分の「週足チャート」に「週足」の「短期足」、「中期足」、「長期足」を同時にそれぞれ「週足短期線」「週足中期線」「週足長期線」として時系列表示する。
【０１２７】
そして、更に、右側下段の「６色帯」ボタンをクリックすると、システム１の価格チャート表示手段４４は、パターンデータ部３３のデータを入力して、上半分の「日足チャート」の画面上側に左右方向（時間軸方向）に延びる「日足」と「週足」の２帯域に「増田足パターン」のＡパターン〜Ｆパターンを、色分けして表示する。これにより、価格チャートの表示時に、パターン別の色分けに従って、パターンを時系列的に色別表示することができる。
【０１２８】
この色分けとしては、例えば、Ａパターンを黄色、Ｂパターンを緑色、Ｃパターンを赤色、Ｄパターンを暗い赤色、Ｅパターンを暗い灰色、Ｆパターンを暗い黄色とする。また、「月足」の動向を問題とすることが少ないので、「日足」「週足」の２帯としている。
【０１２９】
この「増田足パターンの色表示帯」の表示によって、検索者側において、売り買いのポイントが見付け易くなり、チャートの読みが簡単になる。
また、検索者が、図１３において、右側中段の「増田足／ローソク」ボタンをクリックすると、システム１は、表示画面変更手段１３により、これを感知して、図１４の「チャート画面（その２）」に示すように、上半分の画面を「増田足」表示の価格チャートに、下半分の画面を「ローソク足」表示の価格チャートに切り換える。
【０１３０】
そして、検索者が図１３や図１４において、右側中段の「ローソク／増田足」ボタンをクリックすると、システム１は、上半分の画面表示を「ローソク足」表示の価格チャートに、下半分の画面表示を「増田足」表示の価格チャートに切り換える。
【０１３１】
なお、この「増田足」として、「日足」「週足」「月足」のいずれを表示するかは、右側下側の「日」「週」「月」のボタンのクリックにより選定される。
そして、検索者が必要に応じて画面上側の「印刷」ボタンをクリックすると、システム１は、操作用データ入力手段１３によりこれを感知して、プリントアルト手段４５により、必要なデータをプリントアウトする。
【０１３２】
そして、検索者は、検討が終了したら、画面の上側や右側にある「メニューボタン」を選定してクリックする。これを検知して、システム１は図７の「起動画面」を表示する。この「起動画面」の「終了」を検索者がクリックすると、これを検知してシステム１は終了する。
【図面の簡単な説明】
【０１３３】
【図１】本発明に係る相場情報の検索及び表示システムの実施の形態を示すシステム構成図である。
【図２】図１のデータ入力部の構成を示す図である。
【図３】図１のデータ処理部の構成を示す図である。
【図４】図１のデータ記憶部の構成を示す図である。
【図５】図１のデータ出力部の構成を示す図である。
【図６】本発明に係る相場情報の検索及び表示システムにおける相場情報の検索及び表示の流れを示す図である。
【図７】「起動画面」の例を示す図である。
【図８】「銘柄選択画面」の例を示す図である
【図９】「増田足で検索画面」の例を示す図である
【図１０】「増田足で検索画面」＋「連続本数」の例を示す図である
【図１１】「増田足で検索画面」＋「連続本数」の例を示す図である
【図１２】検索結果を表示した「増田足で検索画面」の例を示す図である
【図１３】「チャート画面（その１）」の例を示す図である。
【図１４】「チャート画面（その２）」の例を示す図である。
【図１５】「増田足」の説明図である。
【符号の説明】
【０１３４】
１  相場情報の検索及び表示システム    
１１  相場情報入手手段
２１  移動平均算出手段
２２  パターン分類手段
２３  第１個別銘柄検索手段
２４  第２個別銘柄検索手段
３０  データ記憶部
４３  検索結果提供手段
４４  価格チャート表示手段
【図１】
2006018851.tif 000003
【図２】
2006018851.tif 000004
【図３】
2006018851.tif 000005
【図４】
2006018851.tif 000006
【図５】
2006018851.tif 000007
【図６】
2006018851.tif 000008
【図７】
2006018851.tif 000009
【図８】
2006018851.tif 000010
【図９】
2006018851.tif 000011
【図１０】
2006018851.tif 000012
【図１１】
2006018851.tif 000013
【図１２】
2006018851.tif 000014
【図１３】
2006018851.tif 000015
【図１４】
2006018851.tif 000016
【図１５】
2006018851.tif 000017
【手続補正書】
【提出日】平成17年9月6日(2005.9.6)
【手続補正１】
【補正対象書類名】明細書
【補正対象項目名】００６５
【補正方法】変更
【補正の内容】
【００６５】
そして、第２個別銘柄（株式銘柄）検索手段２４は、検索用データ入力手段１２で検索者によって入力された「陽足」又は「陰足」の連続期間（連続本数）を基に、この「陽足」又は「陰足」の基準日から過去に逆上る直近の連続期間を有する価格チャートを持つ個別銘柄を抽出して、データ記憶部３０の第２検索データ部３５に記憶する手段である。
この第２個別銘柄検索手段２４は、時間単位である「月足」、「週足」、「日足」と、各期間である「長期足」、「中期足」、「短期足」の組合せによる９選択場所を画面表示する手段と、選択された組合せの時間単位及び各期間に関して、「連続本数」の小画面を表示する手段と、この画面で、検索者によって入力された期間から基準日から過去に逆上る所定の直近の連続期間を設定する手段と、「陽足」の基準日から過去に逆上る所定の直近の連続期間又は「陰足」の基準日から過去に逆上る所定の直近の連続期間を有する価格チャートを持つ個別銘柄を抽出する手段とを備えて構成される。